(57)【要約】【課題】ディスク型記録媒体のレーベル面と記録面のそれぞれを適切に使い分けて画像を形成し、形成した画像を効率的に役立てる。【解決手段】ホストコンピューター２のホスト側制御部８０は、光学的にデータを記録可能なディスク型記録媒体に記録するデータ量と、ディスク型記録媒体のデータ記録可能容量とに基づいて、ディスク型記録媒体の記録面における空き領域を求める空き領域算出部９０と、空き領域算出部９０により求められた空き領域に、記録面に可視像として記録するよう指定された情報に基づき、画像データを配置し、生成する描画用データ生成部９１と、を備え、描画用データ生成部９１は、指定された情報の全てに基づく画像データを空き領域に配置できない場合に、指定された情報の少なくとも一部をレーベル面に画像として配置し、記録するための画像データを生成する。【選択図】図３
2011159371.tif 000002
【特許請求の範囲】
【請求項１】
光学的にデータを記録可能なディスク型記録媒体に記録するデータ量と、前記ディスク型記録媒体のデータ記録可能容量とに基づいて、前記ディスク型記録媒体の記録面における空き領域を求める空き領域算出部と、
前記空き領域算出部により求められた空き領域に、前記記録面に可視像として記録するよう指定された情報に基づき、画像データを配置し、生成する描画用データ生成部と、を備え、
前記描画用データ生成部は、指定された情報の全てに基づく画像データを前記空き領域に配置できない場合に、指定された情報の少なくとも一部を前記レーベル面に画像として配置し、記録するための画像データを生成すること、
を特徴とするデータ作成装置。
【請求項２】
前記描画用データ生成部は、前記記録面に可視像として記録するよう指定された情報として、前記ディスク型記録媒体の記録面に記録されるデータに関するテキストデータを含む情報に基づき、前記画像データを配置し、生成すること、
を特徴とする請求項１記載のデータ作成装置。
【請求項３】
前記描画用データ生成部は、複数の前記ディスク型記録媒体の記録面に同一のデータが記録される場合に、これら複数の前記ディスク型記録媒体に対応して、各々の前記ディスク型記録媒体に付与された識別情報に基づき、前記画像データを配置し、生成すること、
を特徴とする請求項１または２記載のデータ作成装置。
【請求項４】
前記描画用データ生成部は、前記空き領域に可視像を形成するための画像データを、２値の画像データとして生成すること、
を特徴とする請求項１から３のいずれかに記載のデータ作成装置。
【請求項５】
ディスク型記録媒体の記録面に光を照射して光学的にデータを記録するとともに、前記記録面に光を照射して可視像を形成するデータ記録装置と、前記ディスク型記録媒体のレーベル面に画像を印刷する印刷装置と、に接続され、
前記ディスク型記録媒体に記録するデータ量と、前記ディスク型記録媒体のデータ記録可能容量とに基づいて、前記ディスク型記録媒体の記録面における空き領域を求める空き領域算出部と、
前記空き領域算出部により求められた空き領域に、前記記録面に可視像として記録するよう指定された情報に基づき、画像データを配置し、生成するとともに、前記ディスク型記録媒体のレーベル面に印刷するための画像データを配置し、生成する描画用データ生成部と、
前記描画用データ生成部により生成された画像データに基づいて、前記データ記録装置により前記ディスク型記録媒体の空き領域に可視像を形成させる記録制御部と、
前記描画用データ生成部により生成された画像データを、前記印刷装置によって前記ディスク型記録媒体のレーベル面に印刷させる印刷制御部と、を備え、
前記描画用データ生成部は、指定された情報の全てに基づく画像データを前記空き領域に配置できない場合に、指定された情報の少なくとも一部を前記レーベル面に配置して、前記レーベル面を印刷するための画像データを生成すること、
を備えることを特徴とする制御装置。
【請求項６】
光学的にデータを記録可能なディスク型記録媒体に記録するデータ量と、前記ディスク型記録媒体のデータ記録可能容量とに基づいて、前記ディスク型記録媒体の記録面における空き領域を求め、
求めた空き領域に、前記記録面に可視像として記録するよう指定された情報に基づき、画像データを配置して生成し、指定された情報の全てに基づく画像データを前記空き領域に配置できない場合に、指定された情報の少なくとも一部を前記レーベル面に画像として配置し、記録するための画像データを生成すること、
を特徴とするデータ生成方法。
【請求項７】
コンピューターにより読み取り可能なプログラムであって、
前記コンピューターを、
光学的にデータを記録可能なディスク型記録媒体に記録するデータ量と、前記ディスク型記録媒体のデータ記録可能容量とに基づいて、前記ディスク型記録媒体の記録面における空き領域を求める空き領域算出部と、
前記空き領域算出部により求められた空き領域に、前記記録面に可視像として記録するよう指定された情報に基づき、画像データを配置して生成し、指定された情報の全てに基づく画像データを前記空き領域に配置できない場合に、指定された情報の少なくとも一部を前記レーベル面に画像として配置し、記録するための画像データを生成する描画用データ生成部と、
して機能させることを特徴とするプログラム。
【発明の詳細な説明】
【技術分野】
【０００１】
本発明は、ディスク型記録媒体に画像を形成するためのデータを作成するデータ作成装置、このデータ作成装置により作成されたデータに基づいて制御を行う制御装置、データ作成方法、及び、プログラムに関する。
【背景技術】
【０００２】
従来、光学的にデータを記録可能なディスク型記録媒体のレーベル面に、例えばインクを吸着する層を形成して、レーベル面に画像を印刷可能にしたものが知られている（例えば、特許文献１参照）。このようなディスク型記録媒体には、例えばインクジェットプリンターによって画像を印刷することが可能である。また、このディスク型記録媒体にデータを記録する記録装置が、レーザーパワーを調整することによって、データが記録される記録面に可視的に画像を描画するものが知られている（例えば、特許文献２参照）。
【先行技術文献】
【特許文献】
【０００３】
【特許文献１】特開２０００−１４９３３３号公報
【特許文献２】特開２００２−２０３３２１号公報
【発明の概要】
【発明が解決しようとする課題】
【０００４】
このように、ディスク型記録媒体にはレーベル面と記録面のそれぞれに画像を形成することが可能であるが、各々の面にどのような画像を記録するかについて何ら制限がないため、ユーザー自身が選んだ画像を形成することとなっていた。しかしながら、特許文献１、２に記載のように、レーベル面にはカラー画像を形成可能である一方、記録面には主として単色の階調画像しか形成できない点や、一般的に収納時等、取扱い時にはレーベル面の方が視認しやすい点などの違いがある。また、記録面において画像を形成できるのは、データを記録した後に残った空き領域であり、記録されたデータの量によっては空き領域に画像を形成できないことがある。これらの特性を考慮して各々の面を適切に使い分けることは難しく、各々の面に画像を形成する技術が効率的に利用されていなかった。
そこで、本発明の目的は、上述した事情に鑑みてなされたものであり、ディスク型記録媒体のレーベル面と記録面のそれぞれを適切に使い分けて画像を形成し、形成した画像を効率的に役立てることができるようにすることにある。
【課題を解決するための手段】
【０００５】
上記目的を達成するため、本発明は、光学的にデータを記録可能なディスク型記録媒体に記録するデータ量と、前記ディスク型記録媒体のデータ記録可能容量とに基づいて、前記ディスク型記録媒体の記録面における空き領域を求める空き領域算出部と、前記空き領域算出部により求められた空き領域に、前記記録面に可視像として記録するよう指定された情報に基づき、画像データを配置し、生成する描画用データ生成部と、を備え、前記描画用データ生成部は、指定された情報の全てに基づく画像データを前記空き領域に配置できない場合に、指定された情報の少なくとも一部を前記レーベル面に画像として配置し、記録するための画像データを生成すること、を特徴とする。
本発明によれば、記録面の空き領域に、可視像を形成するため、指定された情報に基づき、画像データを配置し、生成するとともに、空き領域の面積が不足する等の理由により指定された情報の全てに基づく画像データを記録面に配置できない場合には、この情報の少なくとも一部をレーベル面に画像として配置し、記録するための画像データを生成する。このため、指定された情報に基づく画像データを、記録面またはレーベル面に必ず視認可能な状態で記録させることができ、かつ、レーベル面よりも記録面に優先して記録させることができる。これにより、予め記録面に記録すべき情報を指定することで、記録面に形成される可視像とレーベル面に形成される画像とを効率よく使い分けることができ、形成した画像を効率的に役立てることができる。また、ディスク型記録媒体の空き領域の容量等により記録面に可視像を形成できない場合にも対応して、情報の記録漏れを防止できる。
【０００６】
また、本発明は、上記のデータ作成装置において、前記描画用データ生成部は、前記記録面に可視像として記録するよう指定された情報として、前記ディスク型記録媒体の記録面に記録されるデータに関するテキストデータを含む情報に基づき、前記画像データを配置し、生成すること、を特徴とする。
本発明によれば、ディスク型記録媒体の記録面に記録されるデータに関するテキストデータが、レーベル面よりも記録面に優先して記録されるので、見栄えのよくないテキストデータを、外部から見えにくい記録面に記録することで、レーベル面の美観や表現力を損なうことなく、ディスク型記録媒体に記録されたデータに関する情報を視認可能な形態で記録できる。また、記録面に形成される画像は主として単色の階調表現に制限されることが多いが、テキストデータを記録するにあたっては単色であっても問題はない。このように、記録面に形成される画像の特徴に適した情報を、記録面に配置することで、記録面とレーベル面とを適切に使い分けて画像を形成し、美観を損なうことなく情報を可視的に記録し、ディスク型記録媒体の管理に役立てることができる。
【０００７】
また、本発明は、上記のデータ作成装置において、前記描画用データ生成部は、複数の前記ディスク型記録媒体の記録面に同一のデータが記録される場合に、これら複数の前記ディスク型記録媒体に対応して、各々の前記ディスク型記録媒体に付与された識別情報に基づき、前記画像データを配置し、生成すること、を特徴とする。
本発明によれば、同一内容の複数のディスク型記録媒体に、固有のシリアル番号等の識別情報が可視像として記録されるので、レーベル面の美観や表現力を損なうことなく、ディスク型記録媒体の管理に係る負担を軽減できる。
【０００８】
また、本発明は、上記のデータ作成装置において、前記描画用データ生成部は、前記空き領域に可視像を形成するための画像データを、２値の画像データとして生成すること、を特徴とする。
本発明によれば、記録面に可視像を形成する装置が単色の２階調の階調表現しかできない場合であっても利用可能な、汎用性の高い画像データを作成できる。
【０００９】
上記目的を達成するため、本発明は、ディスク型記録媒体の記録面に光を照射して光学的にデータを記録するとともに、前記記録面に光を照射して可視像を形成するデータ記録装置と、前記ディスク型記録媒体のレーベル面に画像を印刷する印刷装置と、に接続され、前記ディスク型記録媒体に記録するデータ量と、前記ディスク型記録媒体のデータ記録可能容量とに基づいて、前記ディスク型記録媒体の記録面における空き領域を求める空き領域算出部と、前記空き領域算出部により求められた空き領域に、前記記録面に可視像として記録するよう指定された情報に基づき、画像データを配置し、生成するとともに、前記ディスク型記録媒体のレーベル面に印刷するための画像データを生成し、生成する描画用データ生成部と、前記描画用データ生成部により生成された画像データに基づいて、前記データ記録装置により前記ディスク型記録媒体の空き領域に可視像を形成させる記録制御部と、前記描画用データ生成部により生成された画像データを、前記印刷装置によって前記ディスク型記録媒体のレーベル面に印刷させる印刷制御部と、を備え、前記描画用データ生成部は、指定された情報の全てに基づく画像データを前記空き領域に配置できない場合に、指定された情報の少なくとも一部を前記レーベル面に配置して、前記レーベル面を印刷するための画像データを生成すること、を備えることを特徴とする。
本発明によれば、記録面の空き領域に可視像を形成するため、画像データをデータ記録装置によって記録面に配置して形成させ、レーベル面に印刷するための画像データを配置して生成し、この画像データを印刷装置によってレーベル面に印刷させる制御装置が、指定された情報を空き領域に配置して画像データを生成したとき、空き領域の面積が不足する等の理由により指定された情報に基づく画像データを全て記録面に配置できない場合には、この情報の少なくとも一部をレーベル面に画像として記録するための画像データとして配置し生成する。このため、指定された情報を記録面またはレーベル面に必ず視認可能な状態で記録することができ、かつ、レーベル面よりも記録面に優先して記録させることができる。これにより、予め記録面に記録すべき情報を指定することで、記録面に形成される可視像とレーベル面に形成される画像とを効率よく使い分けることができ、また、ディスク型記録媒体の空き領域の容量等により記録面に可視像を形成できない場合にも対応して、情報の記録漏れを防止できる。
【００１０】
また、上記目的を達成するため、本発明は、光学的にデータを記録可能なディスク型記録媒体に記録するデータ量と、前記ディスク型記録媒体のデータ記録可能容量とに基づいて、前記ディスク型記録媒体の記録面における空き領域を求め、求めた空き領域に、前記記録面に可視像として記録するよう指定された情報に基づき、画像データを配置して生成し、指定された情報の全てに基づく画像データを前記空き領域に配置できない場合に、指定された情報の少なくとも一部を前記レーベル面に画像として記録するための画像データを配置し、生成すること、を特徴とする。
本発明の制御方法を実行することにより、記録面の空き領域に可視像を形成するため、指定された情報に基づき、画像データを配置して生成するとともに、空き領域の面積が不足する等の理由により指定された情報に基づく画像データ全てを記録面に配置できない場合には、この情報の少なくとも一部に基づき、レーベル面に画像として記録するための画像データを配置し、生成する。このため、指定された情報に基づく画像データを記録面またはレーベル面に必ず視認可能な状態で記録させることができ、かつ、レーベル面よりも記録面に優先して記録させることができる。これにより、予め記録面に記録すべき情報を指定することで、記録面に形成される可視像とレーベル面に形成される画像とを効率よく使い分けることができ、また、ディスク型記録媒体の空き領域の容量等により記録面に可視像を形成できない場合にも対応して、情報の記録漏れを防止できる。
【００１１】
また、上記目的を達成するため、本発明は、コンピューターにより読み取り可能なプログラムであって、コンピューターにより読み取り可能なプログラムであって、前記コンピューターを、光学的にデータを記録可能なディスク型記録媒体に記録するデータ量と、前記ディスク型記録媒体のデータ記録可能容量とに基づいて、前記ディスク型記録媒体の記録面における空き領域を求める空き領域算出部と、前記空き領域算出部により求められた空き領域に、前記記録面に可視像として記録するよう指定された情報に基づき、画像データを配置して生成し、指定された情報の全てに基づく画像データを前記空き領域に配置できない場合に、指定された情報の少なくとも一部を前記レーベル面に画像として配置し、記録するための画像データを生成する描画用データ生成部と、して機能させることを特徴とする。
本発明のプログラムを実行することにより、記録面の空き領域に可視像を形成するための画像データとして、指定された情報に基づき、画像データを配置し生成するとともに、空き領域の面積が不足する等の理由により指定された情報に基づく画像データ全てを記録面に配置できない場合には、この情報の少なくとも一部に基づき、レーベル面に画像として記録するための画像データを配置し、生成する。このため、指定された情報に基づく画像データを記録面またはレーベル面に必ず視認可能な状態で記録させることができ、かつ、レーベル面よりも記録面に優先して記録させることができる。これにより、予め記録面に記録すべき情報を指定することで、記録面に形成される可視像とレーベル面に形成される画像とを効率よく使い分けることができ、また、ディスク型記録媒体の空き領域の容量等により記録面に可視像を形成できない場合にも対応して、情報の記録漏れを防止できる。
【発明の効果】
【００１２】
本発明によれば、ディスク型記録媒体の記録面に形成される可視像とレーベル面に形成される画像とを効率よく使い分けることができ、形成した画像をディスク型記録媒体の管理等に効率的に役立てることができる。
【図面の簡単な説明】
【００１３】
【図１】第１の実施形態に係るディスク発行システムの概略構成を示す図である。
【図２】ディスク発行装置の構成を示す図である。
【図３】ディスク発行システムの機能ブロック図である。
【図４】優先順位設定テーブルの構成例を模式的に示す図である。
【図５】描画制御処理を示すフローチャートである。
【図６】描画制御処理で表示される画面の一例を示す図である。
【図７】描画制御処理で表示される画面の別の例を示す図である。
【図８】第２の実施形態に係る描画制御処理を示すフローチャートである。
【発明を実施するための形態】
【００１４】
［第１の実施形態］
以下、図面を参照して本発明に係る実施形態について説明する。
図１は、第１の実施形態に係るディスク発行システム３の構成を概略的に示す正面図であり、図２は、ディスク発行システム３が備えるディスク発行装置１の装置本体１０の内部を上から見た図である。
図１に示すように、本発明の記録媒体処理装置を適用したディスク発行システム３は、ディスク発行装置１と、このディスク発行装置１を制御するホストコンピューター２とを備えて構成される。
ディスク発行装置１は、箱形に形成された装置本体１０の内部に、記録ディスクＤの記録面にデータを記録するデータ記録処理を施す２台の光ディスクドライブ２０と、記録ディスクＤのレーベル面に文字、図形、絵柄等を形成する印刷装置３０とを備える。
【００１５】
ディスク型記録媒体としての記録ディスクＤは、レーザー光等を利用したデータの記録（書込）、読み取り等が可能な光学的記録媒体であり、一回のみデータを記録可能な追記型（ライトワンス型）ディスクと、記録済みのデータの消去及び繰り返しの記録が可能な書き換え可能な書換え型ディスクとがある。
記録ディスクＤは、透明な樹脂を円板形状に形成した基板と、この基板上に設けられ、レーザー光の照射により光の透過率及び／又は反射率が変化する色素からなる記録層と、記録層を透過したレーザー光を反射する反射層と、反射層を覆う保護層とを備えている。記録ディスクＤの基板が露出する盤面は、データの記録、読取、消去のためにレーザー光が照射される面であり、一般に記録面と呼ばれる。また、上記の保護層の表面には、例えばインクを吸着する吸着層が形成され、文字や図形、絵柄等の画像を印刷可能となっている。この吸着層が露出した側の面は、一般にレーベル面と呼ばれる。
記録ディスクＤは、ＣＤ規格、ＤＶＤ規格、Ｂｌｕｅ−ｒａｙ（登録商標）Ｄｉｓｃ規格等の規格に準拠した光記録型ディスクが挙げられるが、これらの後継規格として将来策定される規格に準拠した光記録型ディスクも記録ディスクＤとして使用できる。追記型ディスクの具体例としては、ＣＤ−Ｒ、ＤＶＤ±Ｒ、ＢＤ−Ｒ等があり、書換え型ディスクの具体例としてはＣＤ−ＲＷ、ＤＶＤ±ＲＷ、ＤＶＤ−ＲＡＭ、ＢＤ−ＲＥ等がある。
【００１６】
読取部及び記録部として機能する２台の光ディスクドライブ２０は、それぞれ、光ディスクドライブ本体２１と、この光ディスクドライブ本体２１に引き出し自在に設けられたディスクトレイ２２とを備え、ディスクトレイ２２には、記録ディスクＤが嵌め込まれてセットされる略円形の凹部２３（図２）が形成されている。光ディスクドライブ２０は、レーザー光源（図示略）及びディスクトレイ２２を移送するローディング機構（図示略）を備え、ホストコンピューター２の制御に従って、後述する搬送装置６０によりディスクトレイ２２にセットされた記録ディスクＤに対するデータの記録、追記、消去、或いはデータの読取を行う。
【００１７】
また、光ディスクドライブ２０は、記録ディスクＤの記録面に対してレーザー光を照射することにより、可視像を形成する描画機能を有する。
光ディスクドライブ２０には、ホストコンピューター２が備えるホスト側制御部８０から、描画を指示する制御情報と、記録ディスクＤの記録面に描画する画像の画像データが送信される。光ディスクドライブ２０は、記録制御部９２から入力される制御情報及び画像データに従って、記録ディスクＤを回転させながら記録ディスクＤの記録面にレーザー光を照射し、記録ディスクＤの記録層の透過率をドット状に変化させ、これらドットの密度により可視像を形成する。光ディスクドライブ２０は、その描画機能により記録ディスクＤにおいてデータが記録されていない領域に画像を形成する。可視像を形成する場合のレーザー出力は、例えばデータ記録時と同等またはそれ以上に設定され、最も単純なケースでは二値画像が形成され、さらに、レーザー出力を変化させて可視像の階調表現を実現することもできる。ホスト側制御部８０が光ディスクドライブ２０に送信する画像データは、例えば、光ディスクドライブ２０が二値画像を形成する場合は二値のビットマップデータであり、また、例えば光ディスクドライブ２０が階調表現可能な仕様の場合は、モノクロ４階調、８階調、１６階調等のビットマップデータである。ホスト側制御部８０から送信される画像データには、文字、記号、及び各種画像等が適宜含まれる。
【００１８】
印刷部としての印刷装置３０は、例えば、ＣＭＹＫの４色またはこれに淡色インクを加えた６色のインクを用い、記録ディスクＤのレーベル面にインクを吐出することにより、記録ディスクＤのレーベル面に文字、図形、画像等を印刷するインクジェット式プリンターである印刷装置３０は、記録装置本体３１と、この記録装置本体３１に引き出し自在に設けられたディスクトレイ３２とを備え、搬送装置６０によりディスクトレイ３２に載置された記録ディスクＤを、ディスクトレイ３２とともに内部にローディングして、記録ディスクＤのレーベル面への印刷を行う。
ディスク発行装置１は、光ディスクドライブ２０によって記録ディスクＤの記録面にデータを記録し、さらに、光ディスクドライブ２０によって記録ディスクＤの記録面に画像を描画し、印刷装置３０によって記録ディスクＤのレーベル面に画像を印刷する。
【００１９】
図１に示すように、ディスク発行装置１の装置本体１０は、ディスク発行装置１の土台たる装置本体下部１３に、装置本体上部１２を載置して構成される。装置本体上部１２の内部である装置本体内部１０Ａには、２台の光ディスクドライブ２０及び印刷装置３０に加え、第１スタッカー４１、第２スタッカー４２、搬送装置６０が配置されている。
２台の光ディスクドライブ２０，２０と印刷装置３０は、図１に示すように上下に積層配置されている。また、図２に示すように、２台の光ディスクドライブ２０、２０及び印刷装置３０は、装置本体上部１２の背面１２Ａ側に偏って配置され、装置本体上部１２の他方の側には、第１スタッカー４１及び第２スタッカー４２が上下に並べて配置されている。第１スタッカー４１及び第２スタッカー４２は、装置本体１０の前面１２Ｂ側に偏って配置されており、これら第１スタッカー４１及び第２スタッカー４２の後方には、搬送装置６０のアーム部６１を支持するガイド６２が配置される。
【００２０】
装置本体内部１０Ａの前面１２Ｂには、開口部１４が形成されている。開口部１４は、開口部１４の他端１４Ａに設けられたドア軸１６に回動自在に支持される枠体１５Ａと、この枠体１５Ａに取り付けられた透明板１５Ｂとを備える装置カバー１５によって覆われ、装置カバー１５を開くと、装置本体内部１０Ａに配置された各装置にアクセス可能となる。また、装置カバー１５が閉状態であっても、透明板１５Ｂを介して装置本体内部１０Ａの各装置を視認できる。
装置カバー１５には、装置カバー１５の開閉状態を検出し、開閉検出信号として出力する開閉検出センサー（図示略）が設けられ、この開閉検出センサーによって装置カバー１５の閉状態が検出されているときのみ、ディスク発行装置１に設けられた光ディスクドライブ２０や印刷装置３０、搬送装置６０等の装置が稼動し、装置カバー１５が開状態とされると、ディスク発行装置１に設けられた各装置の動作が停止する構成となっている。
【００２１】
第１スタッカー４１は有底円筒形状に形成され、内部に数十枚（例えば、５０枚）程度の記録ディスクＤを積載して収納する収納部４１Ａが形成されている。この第１スタッカー４１は、装置本体内部１０Ａに固定された第１スタッカーベース４１Ｂに着脱自在に載置されている。第１スタッカー４１の外壁の一部には、下方に向かって長尺に切り欠かれた切り欠き部４１Ｃが形成されており、この切り欠き部４１Ｃを介して搬送装置６０のアーム部６１が収納部４１Ａの下部まで進行可能に構成されている。また、第２スタッカー４２は、第１スタッカー４１と略同一の構成を有し、第１スタッカー４１の下方に、後述する搬送装置６０のアーム部６１が挿入可能な間隙Ｋを空けて、第２スタッカーベース４２Ｂに着脱自在に配置されている。また、第２スタッカー４２の外壁には第１スタッカー４１と略同様の切り欠き部４２Ｃが形成されており、上記間隙Ｋに挿入されたアーム部６１はこの切り欠き部４２Ｃを介して収納部４２Ａの下部まで進行可能である。
【００２２】
また、装置本体内部１０Ａの下部には、図１に二点鎖線で示すように、必要に応じて増設スタッカー５７を設置可能である。以下の説明では増設スタッカー５７が設置された場合について説明する。増設スタッカー５７は、第１スタッカー４１及び第２スタッカー４２と同様に有底円筒形状に形成され、内部に数十枚（例えば、５０枚）程度の記録ディスクＤを積載して収納する増設ディスク収納部５７Ａを有する。
第１スタッカー４１、第２スタッカー４２及び増設スタッカー５７には、装置カバー１５を開いてアクセス可能であり、記録ディスクＤの搬入作業や取り出し作業を行える。ディスク発行装置１では、装置本体内部１０Ａへの塵埃等の進入を防止するため、第１スタッカー４１、第２スタッカー４２、及び増設スタッカー５７に対する記録ディスクＤの出し入れ作業時やメンテナンス時以外は、基本的に装置カバー１５を閉じることとされている。
【００２３】
一方、装置本体下部１３には、数枚の記録ディスクＤを収納可能なディスク収納部５３を有する第３スタッカー５０が設けられている。装置本体内部１０Ａの光ディスクドライブ２０や印刷装置３０が配置される側には、図２に示すように、背面１２Ａへ向かって凹んだ状態で第３スタッカー引込部５１（図２参照）が形成され、この第３スタッカー引込部５１に図２中矢印Ａで示す方向に引き出し／引き込み自在に第３スタッカー５０が取り付けられ、装置カバー１５を閉じた状態でも引出口１７から第３スタッカー５０を引き出して、記録ディスクＤの出し入れを行うことができるよう構成されている。このため、光ディスクドライブ２０、印刷装置３０や搬送装置６０が動作している状態でも、第３スタッカー５０を引出口１７から引き出して、第３スタッカー５０に対して記録ディスクＤの出し入れを行える。
【００２４】
第１スタッカー４１、第２スタッカー４２及び増設スタッカー５７は、光ディスクドライブ２０や印刷装置３０に供給される記録ディスクＤを収納する供給側のスタッカーとして使用することも、光ディスクドライブ２０でデータを記録する処理が行われた後または印刷装置３０で印刷が行われた後の記録ディスクＤを収納する排出側のスタッカーとして使用することもできる。また、光ディスクドライブ２０によるデータの記録と印刷装置３０による印刷との両方を連続して行う場合に、各スタッカーは、光ディスクドライブ２０によるデータの記録と印刷装置３０による印刷との合間に一時的に記録ディスクＤを集積する用途にも使用できる。各スタッカーの用途はディスク発行装置１自体における操作またはホストコンピューター２による操作によって、予め設定できる。
これに対し、第３スタッカー５０は排出側スタッカーとしてのみ使用され、第３スタッカー５０に集積された記録ディスクＤは、ディスク発行装置１の外に取り出される。
【００２５】
ディスク発行装置１は、上記のように配置される光ディスクドライブ２０、印刷装置３０、第１スタッカー４１、第２スタッカー４２、増設スタッカー５７及び第３スタッカー５０の間で、搬送装置６０によって記録ディスクＤを搬送する。
搬送装置６０は、図１に示すように、装置本体１０の装置本体内部１０Ａに立設された棒状のガイド６２と、このガイド６２に支持され、このガイド６２に沿って上下方向に摺動すると共に、ガイド６２を中心に回動する駆動部６３と、この駆動部６３に支持されたアーム部６１と、このアーム部６１の先端に設けられ、記録ディスクＤの中央部に形成されたクランプ領域をつかんで保持するハンドリング部６４と、を備えている。
駆動部６３には、ガイド６２における駆動部６３の上下方向における位置や、ガイド６２の軸を中心とした駆動部６３の回動位置に基づいてハンドリング部６４の位置を検出する位置検出センサー（図示略）が設けられている。この位置検出センサーは、検出したハンドリング部６４の位置を示す信号を位置検出信号として出力する。位置検出センサーには、例えば、駆動部６３を駆動するモーターの回転角度を検出するロータリーエンコーダーや、駆動部６３自体の位置を検出するリニアエンコーダーまたはガイド６２の特定位置で駆動部６３の有無を検出する光センサー等を適用できる。
【００２６】
また、装置本体上部１２の前面１２Ｂにおいて、図１における正面視左下部にはディスク発行装置１の電源をオン／オフする電源スイッチ１８が設けられ、また正面視左上部には、ディスク発行装置１が備える各部の動作状態等を報知する表示パネル７０が設けられている。表示パネル７０には、ディスク発行装置１の電源のオン／オフ状態を示す電源状態表示部７１、印刷装置３０における各色のインク残量を示すインク残量表示部７２、及び、各スタッカーの状態を示すスタッカー状態表示部７３等が設けられている。これらの各表示部は、例えばＬＥＤ（発光ダイオード）の点灯状態によって各種状態を表示する。また、インク残量表示部７２は、印刷装置３０で用いられるインク色毎に設けられる。
【００２７】
図３は、ディスク発行システム３の構成を示す機能ブロック図である。
ホストコンピューター２は、ホストコンピューター２の各部を中枢的に制御するホスト側制御部８０、ホスト側制御部８０の制御に従って、液晶表示パネル（図示略）等からなる表示画面に各種情報を表示する表示部８１、キーボードやマウス等の入力デバイス（図示略）の操作を検出して操作信号をホスト側制御部８０に出力する入力部８２、ホスト側制御部８０により実行されるプログラムや処理対象のデータあるいは処理結果のデータ等を記憶するハードディスク装置やフラッシュメモリー等を備えた記憶部８３、及び、通信ケーブル等を介してディスク発行装置１との間で各種信号を送受信するインターフェイス部８４を備えている。
ホスト側制御部８０は、各種プログラムを実行するＣＰＵ、ＣＰＵにより実行される基本制御プログラムや、この基本制御プログラムに係るデータ等を不揮発的に記憶するＲＯＭ、ＣＰＵに実行されるプログラムや処理対象のデータ等を一時的に記憶するＲＡＭ、及び、その他の周辺回路等の図示しない各部を備えている。
【００２８】
ホスト側制御部８０は、ＲＯＭに記憶された基本制御プログラムを読み出して実行することにより、ホストコンピューター２の各部を制御し、この基本制御プログラムまたはユーザーの入力デバイスの操作による指示に従って、ディスク発行装置制御用のプログラムを記憶部８３から読み出して実行して、ディスク発行装置１を制御する。
ホスト側制御部８０は、光ディスクドライブ２０を制御して、記録ディスクＤにデータを記録させる。また、ホスト側制御部８０は、光ディスクドライブ２０を制御して記録ディスクＤの記録面に画像を描画させ、印刷装置３０を制御して記録ディスクＤにおレーベル面に画像を印刷させる機能を有する。これらの機能を実現する機能部として、ホスト側制御部８０は、空き領域算出部９０、描画用データ生成部９１、記録制御部９２及び印刷制御部９３を備えている。
【００２９】
ホスト側制御部８０は、描画用データ生成部９１の機能により、記録ディスクＤの記録面に描画する画像の画像データ、及び、記録ディスクＤのレーベル面に印刷する画像データを生成する。
また、ホスト側制御部８０は、記録制御部９２の機能により、光ディスクドライブ２０によってデータを記録させるための制御情報、及び、記録ディスクＤに記録すべきデータを、インターフェイス部８４を介してディスク発行装置１へ送信する。ここで送信される制御情報には、例えば、各々の光ディスクドライブ２０、２０により記録を行う記録ディスクＤの枚数を指定する情報や、搬送装置６０により記録ディスクＤを搬送する搬送元の位置、搬送先の位置、搬送する枚数等を指定する情報が含まれる。さらに、記録制御部９２により、記録ディスクＤの記録面への描画を指示する制御情報と、描画用データ生成部９１により生成された画像データとが光ディスクドライブ２０に送信され、記録面への描画が行われる。
また、印刷制御部９３の機能により、ホスト側制御部８０は、印刷装置３０によって印刷を実行させるための制御情報、及び、描画用データ生成部９１により生成されたレーベル面印刷用の画像データを、インターフェイス部８４を介してディスク発行装置１へ送信する。ここで送信される制御情報には、例えば、印刷装置３０によって印刷する記録ディスクＤの枚数を指定する情報や、搬送装置６０により記録ディスクＤを搬送する搬送元の位置、搬送先の位置、搬送する枚数等を指定する情報が含まれる。
【００３０】
さらに、ホスト側制御部８０は、空き領域算出部９０の機能により、記録ディスクＤに記録されるデータ量と記録ディスクＤの記録可能容量とに基づいて、記録ディスクＤの記録面における空き領域の面積、サイズ等を算出する。記録ディスクＤの記録面においてはデータが記録されていない空き領域に描画されるので、空き領域のサイズによって描画できる描画できる情報量も異なり、空き領域が小さい場合は優先順位設定テーブル８３Ｂに設定された全ての情報を記録ディスクＤの記録面に描画できない可能性がある。そこで、空き領域算出部９０によって、記録ディスクＤの記録面において空き領域となるドーナツ状の領域の面積、或いは、この領域の幅や径が算出され、この空き領域の面積またはサイズに基づいて、描画用データ生成部９１により、テキストデータが配置される。
【００３１】
記憶部８３には、ホスト側制御部８０により実行されるディスク作成用アプリケーションプログラム８３Ａ、及び、ディスク作成用アプリケーションプログラム８３Ａの実行時に参照される優先順位設定テーブル８３Ｂが記憶されている。ディスク作成用アプリケーションプログラム８３Ａは、ホスト側制御部８０が光ディスクドライブ２０を制御して記録ディスクＤの記録面側に画像を描画し、印刷装置３０を制御して記録ディスクＤのレーベル面に印刷を行うためのプログラムであり、このディスク作成用アプリケーションプログラム８３Ａをホスト側制御部８０が実行することによって描画用データ生成部９１、記録制御部９２及び印刷制御部９３の各部の機能が実現される。
優先順位設定テーブル８３Ｂは、ホスト側制御部８０が描画用データ生成部９１の機能によって、記録面に描画する画像データを生成する場合に、この画像データに含める情報の優先順位を定めたテーブルである。この優先順位設定テーブル８３Ｂにおいて優先順位が高い情報は、記録ディスクＤの記録面とレーベル面の両方に画像を描画または印刷できる場合、記録面に描画される画像に含まれる。
【００３２】
図４は、優先順位設定テーブル８３Ｂの構成例を模式的に示す図である。
この図４に示す例では、記録面に優先して記録される情報である「記録面用情報」として、記録ディスクＤに記録されるデータに施された複製防止技術の種類等を示すコピーガード情報、同一内容の記録ディスクＤが複数作成される場合に各記録ディスクＤに付されるシリアル番号、記録ディスクＤに記録されるデータのファイルシステム（ＵＤＦ、ＩＳＯ９６６０等）、記録ディスクＤのボリュームラベル、記録ディスクＤに記録されるデータ量、記録ディスクＤの作成日や作成者名等が設定され、各々の情報には優先順位が設定されている。
描画用データ生成部９１は、優先順位設定テーブル８３Ｂに設定された優先順位に従って、空き領域算出部９０により算出された空き領域のサイズや面積に基づいて、優先順位設定テーブル８３Ｂの情報を示すテキストデータを配置する。優先順位設定テーブル８３Ｂの全ての情報を記録面の空き領域に配置できない場合、描画用データ生成部９１は、優先順位の高い情報を記録面に配置し、残りの優先順位の低い情報のテキストデータを、レーベル面に印刷する画像データに含めて、レーベル面の画像データを生成する。
【００３３】
図３に示すディスク発行装置１の制御系は、２台の光ディスクドライブ２０、印刷装置３０、及び搬送装置６０に接続された装置側制御部８６を備え、この装置側制御部８６はインターフェイス部８７を介してホストコンピューター２に接続されている。
装置側制御部８６は、ディスク発行装置１の各部を中枢的に制御するものであり、ホスト側制御部８０と同様、図示しないＣＰＵ、ＲＯＭ、ＲＡＭ及びその他の周辺回路を備えている。
【００３４】
装置側制御部８６は、ホストコンピューター２から送信される制御情報やデータを、インターフェイス部８７を介して受信し、この制御情報に従って、光ディスクドライブ２０、印刷装置３０及び搬送装置６０を制御する。装置側制御部８６は、搬送装置６０を制御して記録ディスクＤを光ディスクドライブ２０、印刷装置３０、第１スタッカー４１、第２スタッカー４２、増設スタッカー５７及び第３スタッカー５０の間で搬送し、光ディスクドライブ２０を制御して記録ディスクＤへのデータの記録及び記録面への描画を行わせ、印刷装置３０を制御して記録ディスクＤのレーベル面への印刷を行わせる。
【００３５】
ここで、搬送装置６０が記録ディスクＤを搬送する動作と、光ディスクドライブ２０がデータを記録する動作、記録面に描画する動作、及び、印刷装置３０がレーベル面に印刷する動作とのタイミングの制御は、装置側制御部８６が行ってもよいし、ホストコンピューター２のホスト側制御部８０が行ってもよい。
例えば、光ディスクドライブ２０がディスクトレイ２２を開き、搬送装置６０が第１スタッカー４１の記録ディスクＤをピックアップしてディスクトレイ２２に運び、ディスクトレイ２２に載置し、その後に光ディスクドライブ２０がディスクトレイ２２を閉じて記録ディスクＤをローディングし、光ディスクドライブ２０がデータの記録及び描画を行い、記録及び描画が完了してからディスクトレイ２２を開き、この開かれたディスクトレイ２２の上の記録ディスクＤを、搬送装置６０がピックアップして第２スタッカー４２、増設スタッカー５７または第３スタッカー５０に搬送する。この場合の光ディスクドライブ２０と搬送装置６０の動作タイミングは、ホスト側制御部８０がディスク発行装置１に送信する制御情報に含まれる情報により規定してもよいし、ホスト側制御部８０がディスク発行装置１に制御情報を送信するタイミングにより制御してもよく、装置側制御部８６が搬送装置６０及び光ディスクドライブ２０を直接制御してもよい。また、この場合に、光ディスクドライブ２０及び搬送装置６０が、一つの動作を実行する毎に、現在の動作状態を装置側制御部８６またはホスト側制御部８０へ送信してもよい。
【００３６】
図５は、ディスク発行装置１において実行される描画制御処理を示すフローチャートである。この描画制御処理は、ホスト側制御部８０が備える描画用データ生成部９１、記録制御部９２及び印刷制御部９３の機能により実行される。
ホスト側制御部８０は、入力部８２の操作等により記録ディスクＤの作成が指示されると、図５に示す処理を開始し、記憶部８３に記憶されたディスク作成用アプリケーションプログラム８３Ａを読み出して実行する（ステップＳ１１）。このディスク作成用アプリケーションプログラム８３Ａの実行により、上述した描画用データ生成部９１、記録制御部９２及び印刷制御部９３の機能が実現される。
【００３７】
続いて、ホスト側制御部８０は、空き領域算出部９０の機能により、記録ディスクＤに記録するデータを取得する（ステップＳ１２）。このデータは、予め記憶部８３に記憶され、或いは図示しない外部の装置からホストコンピューター２に送信されて記憶部８３に記憶されるデータであり、入力部８２の操作等により指定される。ホスト側制御部８０は、指定されたデータをもとに、光ディスクドライブ２０が記録ディスクＤに記録するディスクイメージデータを生成する。
続いて、ホスト側制御部８０は、空き領域算出部９０の機能により、光ディスクドライブ２０にセットされた記録ディスクＤの仕様（種類）を判別させる等の方法で、記録ディスクＤの記録可能容量を取得する（ステップＳ１３）。そして、空き領域算出部９０によって、記録ディスクＤの記録可能容量と記録するデータの容量とに基づいて、記録面における空き領域のサイズ、面積等が算出される（ステップＳ１４）。
【００３８】
ここで、描画用データ生成部９１により、ステップＳ１４で求めた空き領域のサイズをもとに、記録ディスクＤの記録面に画像データの描画が可能な否かが判別される（ステップＳ１５）。空き領域には優先順位設定テーブル８３Ｂに設定された記録面用情報に基づく画像データが生成され優先順位に従って配置されるので、空き領域に描画できる文字数が、最も優先順位が高い記録面用情報に基づく画像データを描画するのに足りない場合は、記録ディスクＤへの描画ができないと判別される。
記録ディスクＤの空き領域に描画ができない場合（ステップＳ１５；Ｎｏ）、描画用データ生成部９１によって、記録ディスクＤのレーベル面に印刷される描画レイアウトが生成される（ステップＳ１６）。この描画レイアウトは、レーベル面に印刷される画像におけるテキストデータや画像の配置状態を定めた情報であり、印刷される画像データそのものではない。ステップＳ１５で空き領域に記録面用情報を描画できないと判別されたため、ステップＳ１６では、全ての記録面用情報のテキストデータがレーベル面に配置されたレイアウトが生成される。また、ステップＳ１６では、ホストコンピューター２の表示部８１が有する表示画面（図示略）に、レイアウト作成用の画面が表示され、この画面に基づいて、入力部８２の操作により、レーベル面に印刷する画像の選択やテキストデータと画像の位置調整等を行うことができる。ステップＳ１６でレーベル面の描画レイアウトが生成された後、後述するステップＳ２１に移行する。
【００３９】
一方、記録ディスクＤの記録面に描画可能な場合（ステップＳ１５；Ｙｅｓ）、描画用データ生成部９１により、全ての記録面用情報のテキストデータに基づく画像データを記録面の空き領域に描画できるか否かが判別される（ステップＳ１７）。ここで、全てのテキストデータに基づく画像データを記録面に描画可能な場合（ステップＳ１７；Ｙｅｓ）、描画用データ生成部９１により、全てのテキストデータに基づく画像データが記録面に配置され（ステップＳ１８）、この配置に従って記録面及びレーベル面の描画レイアウトが生成され（ステップＳ２０）、ステップＳ２１に移行する。また、空き領域に描画可能な文字数の不足等により、全てのテキストデータに基づく画像データを記録面に描画できない場合（ステップＳ１７；Ｎｏ）、描画用データ生成部９１により、優先順位設定テーブル８３Ｂに設定された優先順位に従って、記録面用情報のテキストデータに基づく画像データが記録面に配置され（ステップＳ１９）、記録面の空き領域に配置できなかったテキストデータに基づく画像データはレーベル面に配置され、ステップＳ２０に移行して、記録面及びレーベル面の描画レイアウトが生成され、ステップＳ２１に移行する。また、ステップＳ２０では、ホストコンピューター２の表示部８１が有する表示画面（図示略）に、レイアウト作成用の画面が表示され、この画面に基づいて、入力部８２の操作により、記録面に描画されるテキストデータに基づく画像データの配置やサイズ調整、レーベル面に印刷する画像の選択やテキストデータに基づく画像データと画像の位置調整等を行うことができる。
【００４０】
ステップＳ２１では、記録面及びレーベル面の描画レイアウトに基づいて、テキストデータに基づく画像データや画像等を配置して、記録面およびレーベル面の描画用データが生成される。記録面の描画データは、記録面に描画される画像データであり、例えば二値のビットマップデータである。また、レーベル面の描画データは記録ディスクＤのレーベル面に印刷される画像のデータであり、例えば、２４ビットカラーのビットマップデータである。
続いて、ホスト側制御部８０は、記録制御部９２の機能により光ディスクドライブ２０に制御情報と描画用データとを送信して、記録ディスクＤに対するデータの記録と、記録面への描画を実行させる（ステップＳ２２）。なお、記録面の描画データがない場合、記録制御部９２によって光ディスクドライブ２０に対し、データの記録のみを指示する制御情報が送信され、データの記録のみが行われてディスクトレイ２２が開く。その後、記録制御部９２は搬送装置６０に制御情報を送信して、ディスクトレイ２２から印刷装置３０のディスクトレイ３２へ記録ディスクＤを搬送させる。
さらに、ホスト側制御部８０は、印刷制御部９３の機能により、印刷装置３０に対して制御情報と描画用データとを送信して、記録ディスクＤのレーベル面に対する印刷を実行させ（ステップＳ２３）、搬送装置６０に制御情報を送信して印刷後の記録ディスクＤをディスクトレイ３２から予め指定されたスタッカーへ搬送させて、本処理を終了する。
【００４１】
図６及び図７は、描画制御処理で表示される画面の一例を示す図である。
図６に例示するレイアウト作成用画面１００は、図５のステップＳ２０において、記録ディスクＤの記録面及びレーベル面の描画レイアウトを操作するために表示部８１の表示画面に表示される。
レイアウト作成用画面１００には、記録ディスクＤの記録面の描画レイアウト１１０と、レーベル面の描画レイアウト１２０とが並べて表示される。また、記録ディスクＤに記録されるデータ量、記録ディスクＤの種類、及びボリュームラベル等の情報がディスク情報１０５として合わせて表示される。
【００４２】
記録面の描画レイアウト１１０には、記録ディスクＤの記録面全体を示す盤面１１１に、データが記録されるデータ記録領域１１２と、空き領域１１３と、この空き領域１１３に配置される描画領域１１４とが表示される。描画領域１１４は、記録面用情報のテキストデータを配置した部分を強調表示したものである。図６の例では２つの描画領域１１４が表示され、一方の描画領域１１４にはコピーガード情報のテキストデータ「Ｖｅｒ．２」と記録ディスクＤに付与されたシリアル番号のテキストデータ「Ｎｏ．１１２３」とが配置され、他方の描画領域１１４にはファイルシステムのテキストデータ「ＵＤＦ」とデータ容量「２００ＭＢ」と作成日のテキストデータとが配置されている。入力部８２の操作によって、描画領域１１４に配置されたテキストデータのフォントの種類やサイズの調整、或いはテキストデータ自体の編集を行える。
また、レーベル面の描画レイアウト１２０には、レーベル面全体の盤面１２１に、印刷可能領域１２２が表示されている。この印刷可能領域１２２には、入力部８２の操作によって画像等を配置できる。
【００４３】
図７に例示するレイアウト作成用画面１００は、図５のステップＳ１６において、記録ディスクＤの記録面及びレーベル面の描画レイアウトを操作するために表示部８１の表示画面に表示される。
この図７の例では、記録ディスクＤのデータ容量に対してほぼいっぱいのデータが記録されるため、記録面のほぼ全面がデータ記録領域１１２となり、空き領域１１３がほとんどない。このような場合は記録面への描画はできないため、記録面用情報のテキストデータはレーベル面の描画レイアウト１１０に配置される。
【００４４】
以上のように、本発明を適用した第１の実施形態によれば、ディスク発行装置１に接続されたホストコンピューター２のホスト側制御部８０が、空き領域算出部９０の機能により、記録ディスクＤに記録するデータ量と記録ディスクＤのデータ記録可能容量とに基づいて、記録ディスクＤの記録面における空き領域を求め、求めた空き領域に、描画用データ生成部９１の機能によって、記録面に可視像として記録するよう指定された優先順位設定テーブル８３Ｂの情報に基づき、画像データを配置して、空き領域に可視像を形成するための描画用データを生成し、空き領域の面積が不足する等の理由により指定された情報の全てに基づく画像データを空き領域に配置できない場合に、指定された情報の少なくとも一部を記録ディスクＤのレーベル面に画像として配置し、印刷するための描画用データを生成する。このため、優先順位設定テーブル８３Ｂに設定された情報を記録面またはレーベル面に必ず視認可能な状態で記録させることができ、かつ、レーベル面よりも記録面に優先して記録させることができる。これにより、予め記録面に記録すべき情報を優先順位設定テーブル８３Ｂに設定することで、記録面に形成される可視像とレーベル面に形成される画像とを効率よく使い分けることができ、また、記録ディスクＤの空き領域の容量等により記録面に可視像を形成できない場合にも対応して、情報の記録漏れを防止できる。
そして、生成した記録面用の描画用データに従って、記録制御部９２の機能により、光ディスクドライブ２０を制御して記録ディスクＤの記録面に画像を形成させ、印刷制御部９３の機能により、印刷装置３０を制御して描画用データに従って記録ディスクＤのレーベル面に画像を印刷させる。
【００４５】
また、ホスト側制御部８０は、記録ディスクＤの記録面に記録されるデータに関するテキストデータを含む情報に基づき、記録面用の描画用データを生成するので、記録ディスクＤに記録されるデータに関するテキストデータが、レーベル面よりも記録面に優先して記録される。これにより、見栄えのよくないテキストデータを、外部から見えにくい記録面に記録することで、レーベル面の美観や表現力を損なうことなく、記録ディスクＤに記録されたデータに関する情報を視認可能な形態で記録できる。記録面に画像を形成する機能を有する光ディスクドライブ２０のような機器の多くは、主として単色の階調表現で画像を形成するが、テキストデータを記録するにあたっては単色であっても何ら問題ない。従って、記録面に形成される画像の特徴に適した情報を、記録面に配置することで、記録面とレーベル面とを適切に使い分けて画像を形成し、美観を損なうことなく情報を可視的に記録し、記録ディスクＤの管理に役立てることができる。
【００４６】
さらに、描画用データ生成部９１の機能により、記録ディスクＤの空き領域に可視像を形成するための描画用データが、２値の画像データとして生成されるので、光ディスクドライブ２０が単色の２階調の階調表現しかできない場合であっても生成した描画用データを利用でき、汎用性の高い画像データを作成できる。
【００４７】
［第２の実施形態］
図８は、本発明の第２の実施形態に係る描画制御処理を示すフローチャートである。
この第２の実施形態では、上述した第１の実施形態に係るディスク発行システム３において、ホスト側制御部８０が、複数の記録ディスクＤに連続するシリアル番号を付与し、このシリアル番号に基づく画像データを各々の記録ディスクＤに描画または印刷する場合について説明する。
この第２の実施形態では、ディスク発行システム３の各部は上記第１の実施形態と同様であるため、構成に関する図示及び説明は省略する。また、図８のフローチャートでは図６を参照して説明した動作と共通する動作には同一のステップ番号を付して説明を省略する。
【００４８】
ホスト側制御部８０は、入力部８２の操作等により複数の記録ディスクＤの作成が指示されると、記憶部８３に記憶されたディスク作成用アプリケーションプログラムを読み出して実行する（ステップＳ３１）。ここで実行されるディスク作成用アプリケーションプログラムは、上記第１の実施形態で説明したディスク作成用アプリケーションプログラム８３Ａと同一のものであってもよいし、複数の記録ディスクＤを作成するための専用のアプリケーションプログラムであってもよい。
続いて、ホスト側制御部８０は、同一内容のデータを記録する記録ディスクＤの枚数を取得する（ステップＳ３２）。この枚数は、例えば入力部８２の操作により指定された数である。ホスト側制御部８０は、さらに、記録ディスクＤの記録面にシリアル番号を描画するため、優先順位設定テーブル８３Ｂの記録面用情報として、総作成枚数と、各々の記録ディスクＤに付与される固有のシリアル番号とを含める処理を行う（ステップＳ３３）。その後、ホスト側制御部８０は、上述したステップＳ１２〜ステップＳ２０と同様の処理を行って、記録面に描画をするための描画レイアウトと、レーベル面を印刷するための描画レイアウトとを生成する。
【００４９】
そして、ホスト側制御部８０は、描画用データ生成部９１の機能により、記録ディスクＤのシリアル番号に基づく画像データを生成する（ステップＳ３４）。図８の処理を開始して最初にステップＳ３４に至った場合には、最初の記録ディスクＤに付すシリアル番号を生成し、その後は連続したシリアル番号を順次生成する。続いて描画用データ生成部９１の機能により、ステップＳ３４で生成したシリアル番号を、記録面の描画レイアウトあるいはレーベル面の描画レイアウトに当てはめる処理が行われ、記録面及びレーベル面の描画レイアウトに基づいて、テキストデータに基づく画像データや画像のデータ等が配置されて、記録面およびレーベル面の描画用データが生成される（ステップＳ３５）。
続いて、ホスト側制御部８０は、上述したステップＳ２２及びＳ２３の処理により、光ディスクドライブ２０による記録ディスクＤへのデータの記録と、記録面への描画を行わせ、印刷装置３０によって記録ディスクＤのレーベル面に印刷させ、記録ディスクＤの作成を完了する。
【００５０】
ここで、ホスト側制御部８０は、ステップＳ３２で取得した数の記録ディスクＤの作成を完了したか否かを判別し（ステップＳ３６）、まだ作成が完了していない場合はステップＳ３４に戻り、次のシリアル番号を生成し、このシリアル番号を含む描画用データを生成して（ステップＳ３５）、記録ディスクＤを作成する。そして、指定された数の記録ディスクＤを全て作成した後は（ステップＳ３６；Ｙｅｓ）、本処理を終了する。
【００５１】
このように、ホスト側制御部８０は、同一のイメージデータを複数の記録ディスクＤの記録面に記録して、同一内容の複数の記録ディスクＤを作成する場合に、各々の記録ディスクＤに固有の識別情報（シリアル番号）を付与し、この識別情報が記録面に優先して描画される。この処理により記録ディスクＤを作成すると、同一内容の複数の記録ディスクＤに識別情報が可視像として記録されるので、レーベル面の美観や表現力を損なうことなく、記録ディスクＤの管理に係る負担を軽減できる。このシリアル番号は、記録ディスクＤの記録面、或いはレーベル面に必ず可視的に記録されるので、漏れなく記録ディスクＤの管理が容易になる。また、一つのイメージデータと、記録面及びレーベル面の描画用レイアウトとを生成した後で、シリアル番号を生成して順次記録ディスクＤに描画するので、複数の記録ディスクＤに短時間で異なるシリアル番号を描画できる。
【００５２】
また、この第２の実施形態において、記録面またはレーベル面の描画レイアウトを作成する場合に、ステップＳ１５やステップＳ１７で、作成する記録ディスクＤに付されるシリアル番号の最大値を示すテキストデータを、空き領域に配置可能か否かを判別してもよい。この場合、シリアル番号の桁数が最大となる場合を基準として記録面の空き領域に配置可能か否かが判別されるので、作成される全ての記録ディスクＤのシリアル番号の記録位置が、記録面またはレーベル面のいずれか一方に統一され、シリアル番号の管理がより容易になるという利点がある。
【００５３】
なお、上述した各実施形態は、あくまでも本発明の一態様を示すものであり、本発明の範囲内で任意に変形及び応用が可能である。
例えば、上述した第１及び第２の実施形態では、インクジェット式プリンターである印刷装置３０によって記録ディスクＤのレーベル面にインクを吐出して画像を形成する構成を例に挙げて説明したが、本発明はこれに限定されるものではなく、印刷装置３０に代えて、インクを昇華させてレーベル面に付着させる熱転写型プリンターを用いてもよい。また、記録ディスクＤのレーベル面に、レーザー光の照射により透過率及び／又は反射率が変化する色素層を形成し、この記録ディスクＤのレーベル面に対して光ディスクドライブ２０によってレーザー光を照射することにより、画像を形成する構成としてもよい。
【００５４】
また、第１及び第２の実施形態では、ディスク発行装置１に接続された２のホスト側制御部８０により、ディスク発行装置１の光ディスクドライブ２０、印刷装置３０及び搬送装置６０を制御するものとして説明したが、本発明はこれに限定されるものではなく、ディスク発行装置１の装置側制御部８６が、光ディスクドライブ２０及び印刷装置３０を制御して上記動作を実行することも勿論可能である。
また、複数のディスク発行装置１を、一台のホストコンピューター２に接続し、このホストコンピューター２のホスト側制御部８０によって各々のディスク発行装置１を制御して、同時に複数のディスク発行装置１によって記録品質判定処理を実行してもよい。
さらに、記録品質判定処理において、複数の光ディスクドライブ２０を交互に使用して連続して複数の記録ディスクＤを処理してもよく、その他の細部構成等についても任意に変更可能である。
また、本発明は、スタンドアロン型のディスク発行装置１とホストコンピューター２とを接続して構成されるディスク発行システム３に限定されず、他の装置にディスク発行装置１の機能を組み込んだ組み込み型の構成に適用することも可能であるし、ディスク発行装置１が備える光ディスクドライブ２０、印刷装置３０及び搬送装置６０を個別にホストコンピューター２が制御して、ディスク発行システム３と同等の構成として、本発明を適用することも勿論可能である。
【符号の説明】
【００５５】
１…ディスク発行装置、２…ホストコンピューター（データ作成装置、制御装置）、３…ディスク発行システム、２０…光ディスクドライブ（データ記録装置）、３０…印刷装置、６０…搬送装置、８０…ホスト側制御部、８３Ａ…ディスク作成用アプリケーションプログラム、８３Ｂ…優先順位設定テーブル、８６…装置側制御部、９０…空き領域算出部、９１…描画用データ生成部、９２…記録制御部、９３…印刷制御部、Ｄ…記録ディスク（ディスク型記録媒体）。
【図１】
2011159371.tif 000003
【図２】
2011159371.tif 000004
【図３】
2011159371.tif 000005
【図４】
2011159371.tif 000006
【図５】
2011159371.tif 000007
【図６】
2011159371.tif 000008
【図７】
2011159371.tif 000009
【図８】
2011159371.tif 000010